(57)【要約】    【課題】  草花が植栽された土壌に対して自動的に灌水するとともに該土壌の水分の分布を一様にすることである。    【解決手段】  本考案は、植物が植えられた土壌Ｂを保持するとともに自動的に土壌に灌水するプランター１であって、植物が植えられた土壌Ｂを保持して底部に２つの挿通路１４Ｃが形成された容器部１４と、容器部１４の下方に配置されて水Ａを貯えるタンク部１３と、毛細管現象を利用してタンク部１３内の水Ａを容器部１４内の土壌Ｂに灌水して２つの端部を備える灌水部材１５を有し、灌水部材１５の各端部が各挿通路１４Ｃに挿通されてタンク部１３の水Ａ内に配置されるとともに該灌水部材１５の中央部が容器部１４の土壌Ｂ内に配置されることを特徴とする。【選択図】    図７
0003124166.tif 000002
【実用新案登録請求の範囲】
【請求項１】
植物が植えられた土壌を保持するとともに自動的に土壌に灌水するプランターであって、
植物が植えられた土壌を保持し、底部に２つの挿通路が形成されている容器部と、
容器部の下方に配置されて水を貯えるタンク部と、
毛細管現象を利用してタンク部内の水を容器部内の土壌に灌水し、２つの端部を備える灌水部材とを有し、
灌水部材の各端部が各挿通路に挿通されてタンク部の水内に配置されるとともに該灌水部材の中央部が容器部の土壌内に配置されることを特徴とするプランター。
【請求項２】
灌水部材が不織布で作製されていることを特徴とする請求項１に記載のプランター。
【請求項３】
容器部とタンク部とが別体であって、
容器部とタンク部それぞれを着脱可能に支持するハンギングバスケットを有することを特徴とする請求項１または２のいずれかに記載のプランター。
【考案の詳細な説明】
【技術分野】
【０００１】
本考案は、植物が植えられた土壌を保持するプランターに関するものであり、特に土壌に対して自動的に灌水するプランターに関する。
【背景技術】
【０００２】
花びらや葉に直接灌水されると枯れる、例えばシクラメンなどの草花は、植栽されている土壌に対して灌水が行われる。このような土壌に対する灌水を自動的に行う灌水手段として、例えば特許文献１に記載のものがある。これは、毛細管現象により液体を吸収する材料からなる紐状の部材で構成されており、その一端を水内に配置するとともに他端を土壌内に配置することにより、土壌に対する灌水を自動的に行うものである。
【０００３】
【特許文献１】特開２００１−２５３２６公報
【考案の開示】
【考案が解決しようとする課題】
【０００４】
しかしながら、上述するような紐状部材から土壌に対して灌水される水の量は、部分によって異なり、その結果、土壌の水分の分布が一様でないことがある。詳しく言うと、吸収した水の圧力が最も高くなる紐状部材の端部から最も大量の水が土壌に対して灌水されることにより、土壌全体において紐状部材の端部近傍の部分が最も大量の水を保持することになる。土壌の水分の分布が一様でない場合、土壌に植栽されている草花の成長に影響を与えることがある。
【０００５】
そこで、本考案は、土壌の水分の分布が一様になるように該土壌に対して灌水できる灌水部材を有するプランターを提供することを課題とする。
【課題を解決するための手段】
【０００６】
上記課題を解決するために、本考案のプランターは、
植物が植えられた土壌を保持するとともに自動的に土壌に灌水するプランターであって、
植物が植えられた土壌を保持し、底部に２つの挿通路が形成されている容器部と、
容器部の下方に配置されて水を貯えるタンク部と、
毛細管現象を利用してタンク部内の水を容器部内の土壌に灌水し、２つの端部を備える灌水部材とを有し、
灌水部材の各端部が各挿通路に挿通されてタンク部の水内に配置されるとともに該灌水部材の中央部が容器部の土壌内に配置されることを特徴とする。
【０００７】
また、本考案のプランターは、灌水部材が不織布で作製されているのが好ましい。
【０００８】
さらに、本考案のプランターは、容器部とタンク部とが別体であって、容器部とタンク部それぞれを着脱可能に支持するハンギングバスケットを有してもよい。
【考案の効果】
【０００９】
本考案によれば、土壌内に配置される灌水部材の部分が無端状の形状であるため、灌水部材のあらゆる部分から土壌に対して灌水される水の量は概ね等しく、それにより、土壌の水分の分布が概ね一様になる。その結果、土壌に植栽されている草花が良好に成長することが可能になる。
【００１０】
また、灌水部材を、繊維方向がランダムな不織布で作製すれば、灌水部材のあらゆる部分から土壌に対して灌水される水の量が略等しくなる。
さらに、容器部とタンク部とを別体で構成し、容器部とタンク部それぞれを着脱可能に支持するハンギングバスケットを有することにより、容器部とタンク部とを別々に扱うことができるとともに、プランターをフックなどに吊るすことができる。
【考案を実施するための最良の形態】
【００１１】
本考案の一実施形態のプランターについて説明する。
【００１２】
図１及び図２に示すように、本実施形態に係るプランター１は、かご状に形成されたハンキングバスケット１１と、ハンキングバスケット１１内を上下に区画する仕切り部材１２と、仕切り部材１２の下方で水Ａを貯留する貯水タンク１３と、仕切り部材１２の上方で土壌Ｂ及び草花Ｃを保持する容器１４と、貯水タンク１３から毛細管現象を利用して容器１４内の土壌Ｂに灌水する灌水部材１５と、貯水タンク１３の前面を覆う装飾部材１６と、貯水タンク１３に水を補給するための給水パイプ１７とを有している。そして、このプランター１は、ハンキングバスケット１１を介してスタンドＤに掛けられるようになっている。
【００１３】
図２及び図３に示すように、ハンキングバスケット１１は、下部に貯水タンク１３及び装飾部材１６を、上部に容器１４を収容可能に、鉄線をかご状に組み付けたもので、フラットな背面部２１、背面部２１の左右両側から前方に延びる側面部２２，２２、略逆Ｕ字状に折曲されて上下方向に延びる前面部２３，２３、及び後述する仕切り部材１２に類似した略半円形状の底面部２４により、内方に上部ほど広くなる断面略半円形状の空間が形成されている。
【００１４】
また、背面部２１には、スタンドＤのフックＤ′に掛けるため、上部が三角形状に曲折されると共に下部が底面部２４まで延びる鉄線でなる係止部２５が付加されている。さらに、上下方向中間より若干下方の位置に、仕切り部材１２を装着するための円弧状の鉄線でなる取付部材２６が付加されている。そして、左右両側面部２２，２２の上部に、外方に向けて略Ｌ字状の係合片２７，２７が設けられており、係合片２７，２７を介し、バスケット１１内に植え付けられた草花のいたずらな垂れ下がりを規制するための円弧状の弾性を有する鉄線でなる固定部材２８を着脱可能に装着することができるようになっている。なお、このバスケット１１は、鉄線を接合して組み付け後にポリコーティング塗料で塗装されている。
【００１５】
図４に示すように、仕切り部材１２は、鉄線を平面視略半円形状となるように組み付けたもので、両端部に下方に折曲された係合部３１ａ，３１ａを有する直線部材３１と、直線部材３１から略放射状に前方に延びる長短３本の直線部材３２，３３，３３と、これら直線部材３２，３２，３３を連結する大小２本の円弧部材３４，３５とで構成されており、長い方の直線部材３２の先端部は、下方に折曲されて係合部３２ａとされている。そして、図３に示すように、仕切り部材１２は、係合部３１ａ，３１ａ，３２ａと取付部材２６との係合を介してバスケット１１に着脱可能に装着され、上方に容器１４が載置されることとなる。
【００１６】
図５に示すように、貯水タンク１３は、上方に開口部１３ａを有する有底のもので、内方が上部ほど広くなる断面略半円形状となるように、ポリエチレン樹脂で形成されている。また、装飾部材１６は、貯水タンク１３の前面を着脱可能に覆うもので、断面円弧状となるように、着色や図柄等で装飾されたポリエチレン樹脂で形成されている。
【００１７】
図６に示すように、容器１４は、上方に開口部１４ａを有する有底のもので、内方が上部ほど広くなる断面略半円形状となるように、強度、耐久性、通水性、通気性等に優れるポリエステル樹脂製の不織布で形成されている。また、前面には、開口部１４ａから下方に延びる複数の切り込み１４ｂ…１４ｂが設けられている。さらに、容器１４の底部には、図１の部分断面図であって貯水タンク１３と容器１４の内部を示す図７に示すように、灌水部材１５の両端それぞれが容器１４側からタンク１３側に挿通されるための挿通路１４ｃ、１４ｃが形成されている。
【００１８】
図２や図７に示すように、灌水部材１５は、貯水タンク１３と容器１４とに亘って備えられており、貯水タンク１３の水Ａを吸い上げ可能に毛細管現象を発現する帯状の不織布で構成されている。また、灌水部材１５は、両端が貯水タンク１３の水Ａ内に配置されるとともに、中央部が容器１４の土壌Ｂ内に配置されている。すなわち、灌水部材１５の無端形状の部分が土壌Ｂ内に配置されている。
【００１９】
なお、灌水部材１５は、灌水部材１５のあらゆる部分から土壌Ｂに対して灌水される水の量を略等しくするために繊維方向がランダムな不織布で作製するのが好ましいが、貯水タンク１３から容器１４の土壌Ｂに対して水Ａを灌水する毛細管現象を発現することが可能なものであれば、本考案は灌水部材１５の材料、形態などは問わない。
【００２０】
ここで、このプランター１の使用方法について説明すると、まず、容器１４の底部の挿通路１４ｃ、１４ｃに、灌水部材１５の両端それぞれを容器１４側からタンク１３側に向かって挿通しておく。そして、貯水タンク１３をハンキングバスケット１１の下部に載置すると共にこの貯水タンク１３の前方に装飾部材１６を装着し、また、ハンキングバスケット１１の背面側から貯水タンク１３に給水パイプ１７を差し込んでおく。
【００２１】
次いで、ハンキングバスケット１１に仕切り部材１２を装着した上で、この仕切り部材１２上に容器１４を載置する。そして、容器１４内に土壌Ｂを敷設したのち、軽く根をほぐした草花Ｃの苗を植え込む。その場合、草花Ｃの先端を容器１４の切り込み１４ｂ…１４ｂから適宜突出させる。また、灌水部材１５の中央部は、土壌Ｂの深さ方向中央に位置するのが望ましい。
【００２２】
次いで、バスケット１１上部に固定部材２８を装着し、給水パイプ１７から貯水タンク１３に給水したのち、このプランタ１をスタンドＤに掛ける。なお、背面側から見て貯水タンク１３の水が少なくなっていれば、給水パイプ１７から貯水タンク１３に給水すればよい。なお、ここで説明した手順は一例であって、適宜変更可能であることは言うまでもない。
【００２３】
以上のように構成したことにより、灌水部材１５を介して下方の貯水タンク１３から上方の容器１４内の土壌Ｂに灌水するので、花びらや葉に直接灌水しなくて済む。また、灌水部材１５により毛細管現象を利用して過不足なく灌水するので、灌水の手間が省け、かつ、土壌Ｂを適切な保水状態に維持することができる。さらに、土壌Ｂ内に配置される灌水部材１５の部分が無端状の形状であるため、灌水部材１５のあらゆる部分から土壌Ｂに対して灌水される水の量は概ね等しく、それにより、土壌Ｂの水分の分布が概ね一様になる。その結果、土壌Ｂに植栽されている草花Ｃが良好に成長することが可能になる。
【００２４】
なお、本考案は、上述の実施の形態に限定されることはなく、本考案の趣旨に沿うものであればよい。
【００２５】
例えば、上述の実施の形態において、プランターは、ハンギングバスケットを有し、土壌を保持する容器と水を貯えるタンクは別体であったが、本考案はこれに限定されない。ハンキングバスケットがなく容器とタンクが一体となったプランターであってもよい。しかしながら、容器とタンクは土壌や水の補給やメンテナンスなどの扱いの容易性を考慮するとこれらは別体であるのが望ましく、また、据え置くことや吊るすことなど様々な設置形態を考慮するとプランターはハンキングバスケットを有するのが好ましい。
【００２６】
また、上述の実施の形態のプランターにおいて灌水部材は１つであったが、本考案はこれに限定されない。例えば、灌水部材は２つあってもよい。灌水部材が２つある場合、容器の底部に４つの挿通路を形成すればよい。代わりとして、容器の底部に２つの挿通路を形成し、挿通路を共通で使用してもよい、すなわち、１つの挿通路に２つの灌水部材の端部が挿通されてもよい。
【産業上の利用可能性】
【００２７】
以上説明したように、本考案によれば、灌水の手間が省け、かつ、土壌の水分の分布を一様にすることができるプランターが提供される。すなわち、本考案は、園芸用具の技術分野に広く好適である。
【図面の簡単な説明】
【００２８】
【図１】本考案の実施の形態に係るプランターの正面図である。
【図２】図１のＩＩ−ＩＩ線による断面図である。
【図３】ハンキングバスケットの正面図である。
【図４】仕切り部材の斜視図である。
【図５】貯水タンクの斜視図である。
【図６】容器の斜視図である。
【図７】容器と貯水タンクの内部を示す図１の部分断面図である。
【符号の説明】
【００２９】
１        プランター
１３      貯水タンク
１４      容器
１４Ｃ    挿通路
１５      灌水部材
Ａ        水
Ｂ        土壌
【図１】
0003124166.tif 000003
【図２】
0003124166.tif 000004
【図３】
0003124166.tif 000005
【図４】
0003124166.tif 000006
【図５】
0003124166.tif 000007
【図６】
0003124166.tif 000008
【図７】
0003124166.tif 000009